(57)【要約】【課題】家庭用ファンのモータ固定子の提供。【解決手段】複数のけい素鋼板が重畳圧接されてなり、各けい素鋼板の中心にモータ回転子を収容する穿孔が設けられ、穿孔の周縁にコイルを巻き付けるための線溝が凹設されたモータ固定子において、本考案の特徴は、けい素鋼板の長さと幅がそれぞれ６０±１ｍｍ、穿孔の孔径が３３±１ｍｍとされ、且つ穿孔周縁に等距離に１６個の線溝が凹設され、これにより、コイルを巻いた後に４極モータ固定子が形成され、これによりモータ固定子の線溝数と極数を増加してその磁束量を増し、モータトルクを増大することができることにある。【選択図】　　　　図２
0003097003.tif 000002
【実用新案登録請求の範囲】
【請求項１】
複数のけい素鋼板が重畳圧接されてなり、各けい素鋼板の中心にモータ回転子を収容する穿孔が設けられ、穿孔の周縁にコイルを巻き付けるための線溝が凹設された家庭用ファンのモータ固定子において、けい素鋼板の長さと幅がそれぞれ６０±１ｍｍ、穿孔の孔径が３３±１ｍｍとされ、且つ穿孔周縁に等距離に１６個の線溝が凹設され、これにより、コイルを巻いた後に４極モータ固定子が形成され、これによりモータ固定子の線溝数と極数を増加してその磁束量を増し、モータトルクを増大することができることを特徴とする、家庭用ファンのモータ固定子。
【考案の詳細な説明】
【０００１】
【考案の属する技術分野】
本考案は一種の家庭用ファンのモータ固定子に係り、特に、材料使用量と製造コストを変更しない前提下で、モータトルクを増大し、モータの最良の出力効果を発揮できる長所と機能を達成した家庭用ファンのモータ固定子に関する。
【０００２】
【従来の技術】
一般に家庭用ファン（例えば扇風機、換気扇或いは冷風機）はバスケット式の回転子モータをその動力源として採用し、このようなバスケット式回転子モータの固定子規格は業者が長期にわたり一般に使用している寸法の７５ｍｍと６０ｍｍの二種類がある。二種類の異なる規格の固定子の構造は極めて相似であり、通常は、複数の、長さと幅が固定されたけい素鋼板が連続重畳圧接されてなり、且つこれらけい素鋼板の中心には穿孔が開設されてモータ回転子を収容し、且つ中心穿孔の周囲にけい素鋼板に向けて若干の線溝が凹設されてコイル巻き付けに供される。しかし、研究によると、上述の７５ｍｍ規格の固定子構造は実際の使用上、コイル抵抗、銅損等の効果によるパワー流失と温度上昇等の問題の存在を考慮しなければならない。このため、特許文献１が提供され、それは、片側片長が７５ｍｍ規格のモータ固定子構造に対する改良を行うことで、銅損とモータ温度上昇の問題を解決している。
【０００３】
しかし、前記特許文献１は単一規格のモータ固定子に対する改良を行っただけで、他の規格のモータ固定子構造に対しての改良も必要である。ゆえに、７５ｍｍ規格のモータ固定子だけでなく、本件考案者は、もう一種類の規格である片側片長６０ｍｍのモータ固定子に対しても改良を行おうとしたが、このようなモータには以下のような問題があることが分かった。
【０００４】
前述したように、周知の６０ｍｍモータ固定子の構造は、複数の長さと幅が固定されたけい素鋼板を連続重畳圧接してなり、且つこれらけい素鋼板の中心には穿孔が開設されてモータ回転子を収容し、且つ中心穿孔の周囲にけい素鋼板に向けて複数の線溝が凹設されてコイルの巻き付けに供される。しかし、周知のけい素鋼板の穿孔周囲の線溝数は８溝或いは１２溝とされ、溝数が少なく、ゆえにコイルを巻き付けた後にはただ二極モータを形成することしかできず、ゆえに線溝数と極数が少なくモータ磁束量に影響が生じ、モータトルクが低過ぎ、出力パワーが不足するという欠点がある。このことから、６０ｍｍモータ固定子の構造には改良の必要がある。
【０００５】
【特許文献１】
台湾特許出願第８９２０１４５１号明細書
【０００６】
【考案が解決しようとする課題】
ゆえに、本考案の目的は、一種の家庭用ファンのモータ固定子を提供することにあり、それはパワー消耗を減らし、モータトルクを増大し、モータ出力効果を高める長所を有するものとする。
【０００７】
【課題を解決するための手段】
請求項１の考案は、複数のけい素鋼板が重畳圧接されてなり、各けい素鋼板の中心にモータ回転子を収容する穿孔が設けられ、穿孔の周縁にコイルを巻き付けるための線溝が凹設された家庭用ファンのモータ固定子において、けい素鋼板の長さと幅がそれぞれ６０±１ｍｍ、穿孔の孔径が３３±１ｍｍとされ、且つ穿孔周縁に等距離に１６個の線溝が凹設され、これにより、コイルを巻いた後に４極モータ固定子が形成され、これによりモータ固定子の線溝数と極数を増加してその磁束量を増し、モータトルクを増大することができることを特徴とする、家庭用ファンのモータ固定子としている。
【０００８】
【考案の実施の形態】
本考案によると、複数のけい素鋼板が重畳圧接されてなり、各けい素鋼板の中心にモータ回転子を収容する穿孔が設けられ、穿孔の周縁にコイルを巻き付けるための線溝が凹設されてなるモータ固定子において、けい素鋼板の長さと幅がそれぞれ６０±１ｍｍ、穿孔の孔径が３３±１ｍｍとされ、且つ穿孔周縁に等距離に１６個の線溝が凹設され、これにより、コイルを巻いた後に４極モータ固定子が形成され、これによりモータ固定子の線溝数と極数を増加してその磁束量を増し、モータトルクを増大することができることを特徴とする。
【０００９】
【実施例】
図１は本考案の第１実施例を示し、そのモータ固定子１は、複数の、長さと幅がそれぞれ６０±１ｍｍのけい素鋼板１１が重畳圧接されてなり、各けい素鋼板１１の四つの角部にそれぞれ螺子止め用の固定孔１１１が設けられ、モータケイシングとの螺子止めに供される。けい素鋼板１１の中心には孔径が３３±１ｍｍの穿孔１１２が開設されて、回転子２が該穿孔１１２中に収容され、且つ穿孔１１２の周囲に等距離に１６個の線溝１１３が凹設されてコイル３が該線溝１１３中に巻き付けられる（図２参照）。
【００１０】
モータ固定子１、回転子２及びコイル３の三者間の組合せ状態は図２に示されるようであり、回転子２がモータ固定子１の穿孔１１２中に挿入され、並びに穿孔１１２の孔壁と適当な間隙を保持し、コイル３は４極巻き付け方式で線溝１１３中に巻き付けられ、こうして４極モータの構造が形成される。
【００１１】
続いて図３及び図４は本考案の第２実施例を示し、この実施例も同様に、複数のけい素鋼板１１が圧接されてなる固定子１、回転子２及びコイル３を具え、その主要な違いは、第２実施例のけい素鋼板１１の四つの角部は切断されて円弧状とされ、貫通孔は開設されず、モータ固定子１が四つの角部が切断されて円弧状とされたけい素鋼板を嵌め込めるモータケーシングに嵌止方式で固定される。
【００１２】
【考案の効果】
以上の説明から分かるように、本考案のけい素鋼板は実際には周知のけい素鋼板と同じ寸法及び規格を維持し、言い換えると、本考案はけい素鋼板１１の材料を増加せずに、材料使用量と製造コストを変更しない前提下で改良を行っている。このほか、本考案は線溝１１３の数量を増加することによりモータの極数を増加し、これにより、大幅にモータの磁束量を増加し、これにより有効のモータの出力トルクを高め、並びにパワー消耗を減らしている。
【００１３】
総合すると、本考案の家庭用ファンのモータ固定子は従来のモータ固定子の問題を解決すると共に、予期された目的と機能を達成し、且つその構造はその出願前に未公開であり、機能が増進された事実を有しており、ゆえに本考案は実用新案登録の要件を具備している。
【図面の簡単な説明】
【図１】本考案の第１実施例の分解状態表示図である。
【図２】本考案の第１実施例の組合せ状態表示図である。
【図３】本考案の第２実施例の分解状態表示図である。
【図４】本考案の第２実施例の組合せ状態表示図である。
【符号の説明】
１　固定子　　　　１１　けい素鋼板　　　　１１１　固定孔
１１２　穿孔　　　１１３　線溝　　　　　　２　回転子
３　コイル
【図１】
0003097003.tif 000003
【図２】
0003097003.tif 000004
【図３】
0003097003.tif 000005
【図４】
0003097003.tif 000006